(57)【特許請求の範囲】
【請求項１】
記憶媒体に記憶される複数のデータの各々一部に対応する部分データを記憶する記憶手段と、
上記複数のデータに対応するシンボルを表示する表示手段と、
上記表示手段に表示されるシンボルを指示することにより所望のデータを指示する指示手段と、
上記指示されたデータに対応する上記部分データを上記記憶手段から読み出し再生する再生手段と、
上記再生手段により上記部分データが再生されている際の、上記指示手段による上記データに対する更なる指示に応じて、上記再生手段が上記データを継続して再生するように制御する制御手段と、
上記再生手段により上記部分データが再生されている際の、上記更なる指示の頻度を計数する計数手段と、
上記計数の結果に応じて上記シンボルを更新する更新手段と
を備えることを特徴とする記録再生装置。
【請求項２】
上記更新手段は、上記計数の結果に応じてシンボルの大きさを変更することを特徴とする
請求項１記載の記録再生装置。
【請求項３】
上記更新手段は、上記計数の結果が多いデータに対応するシンボルの表示サイズを大きくすることを特徴とする請求項２記載の記録再生装置。
【請求項４】
上記記憶手段は、記憶媒体に記憶される複数のデータの各々の関連データを記憶し、上記指示手段により上記シンボルが指示される場合、上記表示手段は、上記シンボルに対応するデータの関連データを表示すると共に、上記再生手段が上記シンボルに対応するデータを再生することを特徴とする請求項１記載の記録再生装置。
【請求項５】
更に、上記記憶媒体に記憶される１のデータと他のデータとの類似度を演算する類似度演算部を有し、上記更新手段は、上記類似度に応じて上記他のデータに対応するシンボルを変更することを特徴とする請求項１記載の記録再生装置。
【請求項６】
上記更新手段は、上記類似度が高い上記他のデータに対応するシンボルの表示サイズを大きくすることを特徴とする請求項５記載の記録再生装置。
【請求項７】
上記更新手段は、上記類似度が高い上記他のデータに対応するシンボルとしての音符イメージのフォントを大きくすることを特徴とする請求項６記載の記録再生装置。
【請求項８】
上記更新手段は、上記計数の結果に応じてシンボルの質を変更することを特徴とする請求項１記載の記録再生装置。
【請求項９】
上記シンボルはサムネイルであり、
上記更新手段は、上記計数の結果が多いデータに対応するサムネイルよりも、上記計数の結果が少ないデータに対応するサムネイルの方が、より画質が低くなるようにすることを特徴とする請求項８記載の記録再生装置。
【請求項１０】
上記シンボルはサムネイルであり、
上記更新手段は、上記類似度が高い上記他のデータに対応するサムネイルよりも、上記類似度が低い上記他のデータに対応するサムネイルの方が、より画質が低くなるようにすることを特徴とする請求項５に記載の記録再生装置。
【請求項１１】
複数のデータに対応するシンボルを表示するステップと、
上記表示されるシンボルを指示することにより所望のデータを指示するステップと、
上記指示されたデータに対応する、記憶媒体に記憶される複数のデータの各々一部に対応する部分データを読み出すと共に再生するステップと、
上記部分データが再生されている際の、上記データに対する更なる指示に応じて、上記データを継続して再生するステップと、
上記部分データが再生されている際の、上記更なる指示の頻度を計数するステップと、
上記計数の結果に応じて上記シンボルを更新するステップと
を備えることを特徴とする記録再生方法。
【請求項１２】
複数のデータに対応するシンボルを表示するステップと、
上記表示されるシンボルを指示することにより所望のデータを指示するステップと、
上記指示されたデータに対応する、記憶媒体に記憶される複数のデータの各々一部に対応する部分データを読み出すと共に再生するステップと、
上記部分データが再生されている際の、上記データに対する更なる指示に応じて、上記データを継続して再生するステップと、
上記部分データが再生されている際の、上記更なる指示の頻度を計数するステップと、
上記計数の結果に応じて上記シンボルを更新するステップと
を備える記録再生方法を実行するコンピュータ制御可能なプログラムが記憶される記憶媒体。
【発明の詳細な説明】
【技術分野】
【０００１】
この発明は、記憶媒体の記録再生装置に関し、特に記憶媒体に記憶されたデータからユーザの所望するデータを検索可能な記録再生装置および方法、ならびに記憶媒体に関する。
【背景技術】
【０００２】
近年、記憶媒体の記録再生装置では、記憶媒体に記憶された複数のオーディオデータから所望のオーディオデータを検索できるようになっている。例えば、従来の記録再生装置では、ユーザが所望のオーディオデータのキーワードを入力し、所望のオーディオデータを特定する検索方法、あるいは記録再生装置の表示部に表示されるオーディオデータのタイトルから所望のオーディオデータを選択する検索方法が用いられている。
【発明の開示】
【発明が解決しようとする課題】
【０００３】
ところが、記憶媒体に記憶されるオーディオデータが数千曲あるいは数万曲となり、ユーザがオーディオデータのキーワード、タイトルなどを忘れてしまった場合には、所望のオーディオデータを検索することは困難となる。
【０００４】
また、数千曲のタイトルが画面にリスト表示されると、表示画面にリストが収まりきらず、ユーザは画面をスクロールしながら所望のオーディオデータタイトルを検索しなければならなくなるため、検索に対するユーザの負担が大きくなり、問題とされていた。
【０００５】
さらに、データ検索が文字のみの情報により行われ、直感的でないため、所望のオーディオデータを検索するためには時間がかかってしまうという問題もあった。
【０００６】
さらにまた、複数のデータ領域を有するＳＡＣＤ（Ｓｕｐｅｒ  Ａｕｄｉｏ  ＣＤ）などから所望のオーディオデータを検索する場合には、データ領域毎に検索画面が表示されないため、ユーザがあまり必要としないデータが記憶されたデータ領域の情報が画面表示されてしまい、結果としてデータ検索が煩わしくなるなどの問題もあった。例えばオーディオデータによるＣＭデータが記憶された単密領域と、オーディオデータが記憶された倍密領域とを有する記憶媒体から所望のオーディオデータを検索する場合には、検索画面にオーディオデータの情報に加え、ＣＭデータの情報も画面表示されてしまうため、データ検索が煩わしくり、問題となっていた。
【０００７】
また、タイトル名あるいはアルバム名などの検索モードしか備えられていないため、多様な検索方法により所望のオーディオデータを検索することができなかった。例えば、ユーザにデータを推薦するような検索モードに切り換え、記憶媒体から検索を行うことができなかった。
【０００８】
したがって、この発明の第１の目的は、オーディオデータ検索に関するユーザの負担を軽減し、大量のオーディオデータから所望のオーディオデータを容易に検索できる記録再生装置および方法、ならびに記憶媒体を提供することにある。
【０００９】
さらに、この発明の第２の目的は、多様な検索方法により所望のオーディオデータを検索可能な記録再生装置および方法、ならびに記憶媒体を提供することにある。
【課題を解決するための手段】
【００１０】
以上の課題を解決するために、請求項１に記載の発明は、
記憶媒体に記憶される複数のデータの各々一部に対応する部分データを記憶する記憶手段と、
複数のデータに対応するシンボルを表示する表示手段と、
表示手段に表示されるシンボルを指示することにより所望のデータを指示する指示手段と、
指示されたデータに対応する部分データを記憶手段から読み出し再生する再生手段と、
再生手段により部分データが再生されている際の、指示手段によるデータに対する更なる指示に応じて、再生手段がデータを継続して再生するように制御する制御手段と、
再生手段により部分データが再生されている際の、更なる指示の頻度を計数する計数手段と、
計数の結果に応じてシンボルを更新する更新手段と
を備えることを特徴とする記録再生装置である。
【００１２】
請求項１１に記載の発明は、
複数のデータに対応するシンボルを表示するステップと、
表示されるシンボルを指示することにより所望のデータを指示するステップと、
指示されたデータに対応する、記憶媒体に記憶される複数のデータの各々一部に対応する部分データを読み出すと共に再生するステップと、
部分データが再生されている際の、データに対する更なる指示に応じて、データを継続して再生するステップと、
部分データが再生されている際の、更なる指示の頻度を計数するステップと、
計数の結果に応じてシンボルを更新するステップと
を備えることを特徴とする記録再生方法である。
【００１４】
請求項１２に記載の発明は、
複数のデータに対応するシンボルを表示するステップと、
表示されるシンボルを指示することにより所望のデータを指示するステップと、
指示されたデータに対応する、記憶媒体に記憶される複数のデータの各々一部に対応する部分データを読み出すと共に再生するステップと、
部分データが再生されている際の、データに対する更なる指示に応じて、データを継続して再生するステップと、
部分データが再生されている際の、更なる指示の頻度を計数するステップと、
計数の結果に応じてシンボルを更新するステップと
を備える記録再生方法を実行するコンピュータ制御可能なプログラムが記憶される記憶媒体である。
【００１６】
上述したように、この発明では、記録再生装置は、記憶媒体に記憶される複数のデータの各々一部に対応する部分データと再生回数データとを記憶する記憶手段を備え、記憶媒体に記憶された複数のデータに対応するシンボルを、記憶手段に記憶された再生回数データに基づき表示し、ユーザにより表示されたシンボルが指示された場合には、記憶手段よりシンボルに対応する部分データを読み出し再生し、さらにユーザにより再生の指示がされた場合には、記憶媒体からデータを読み出し再生を維持すると共に、記憶手段に記憶された再生回数データを更新するようにしたため、ユーザは、表示されたシンボルにより記憶媒体に記憶された複数のデータから所望データを容易に検索できる。
【００１７】
また、この発明では、記録再生装置は、複数種類のデータ領域を有する記憶媒体に記憶される複数のデータの各々一部に対応する部分データを記憶する記憶手段を備え、記憶媒体のデータに対応するシンボルを各データ領域毎に表示し、ユーザにより表示されたシンボルが指示された場合には、記憶手段よりシンボルに対応する部分データを読み出し再生し、さらにユーザによりシンボルが指示された場合には、記憶媒体からデータを読み出し再生を維持するようにしたため、ユーザは、記憶媒体に記憶された大量のデータから所望のデータから所望のデータを容易に検索できる。
【発明の効果】
【００１８】
以上説明したように、この発明によれば、ユーザは、ポインタによりシンボル上を移動することで、シンボルに対応するオーディオデータの先頭部分あるいはサビ部分に関する音声を聴取しながら、所望のオーディオデータを検索し、さらに検索された所望のオーディオデータの再生の決定指示を行うと、ディスクからオーディオデータが読み出され、再生が開始されるため、ユーザは容易に所望のオーディオデータを検索し、検索した所望のオーディオデータを再生できる。
【００１９】
さらにまた、再生頻度の高いオーディオデータあるいはそれに類似するオーディオデータを象徴するシンボルが、表示部において広い面積を占めるように表示されるので、再生頻度の高い曲、すなわち良く聴く曲を容易に再生指示できる。
【００２０】
また、再生頻度が高い曲に類似する曲のシンボルも選択されやすく表示されるようになっているので、ユーザは好みの曲を容易に選択できる。
【００２１】
さらに、ユーザがオーディオデータを再生する度に、シンボルに対応するオーディオデータが変更されるので、ユーザにとって最適な記録再生装置に自動的にカスタマイズすることが可能である。
【００２２】
さらにまた、類似度に応じて異なるシンボルが表示されるようにしたので、視覚的に曲の類似度を把握できるため、直感的に曲の検索を行える。したがって、ユーザは所望の曲を容易に、短時間の内に検索可能である。
【００２３】
また、記憶媒体のデータ領域毎に画面切換えが可能なので、ＣＭデータなどのユーザが表示を望まない情報が記憶されたデータ領域を表示せずに済むため、ユーザは所望のタイトルを検索しやすくなる。
【００２４】
さらに、複数の検索モードから表示モードを選択できるので、ユーザの検索意図に応じた検索が可能となる。
【００２５】
さらにまた、データ領域毎に検索モード画面を設定可能であるため、記憶されるデータの質に応じて検索モードを設定でき、ユーザは所望のタイトルを検索しやすくなる。
【発明を実施するための最良の形態】
【００２６】
以下、この発明の実施形態について図面を参照して説明する。図１はこの発明の第１の実施形態による記録再生装置の外観を示す。記録再生装置は、前面パネル部１に３次元ジョグ２、停止ボタン３、巻き戻しボタン４、記録ボタン５、再生ボタン６、早送りボタン７、一時停止ボタン８、ボリューム９、表示部１０および図示しない電源スイッチを備える。
【００２７】
図２は、この発明の第１の実施形態による記録再生装置の構成の一例を示すブロック図である。ディスク２０は、複数のデータ領域を有し、この第１の実施形態においては、例えば単密領域と倍密領域とからなる２つのデータ領域を有する。単密領域には、例えばＰＣＭ（Pulse Code Modulation）データが記憶され、倍密領域には、例えば圧縮データが記憶される。データの圧縮方式として、例えばＭＰ３（MPEG-１ Audio Layer III）、ＡＴＲＡＣ（Adaptive Transform Acoustic Cording）、ＡＡＣ（Advanced Audio Cording）などが用いられる。ここで、ディスク２０に記憶されるコンテンツは、例えばオーディオデータである。
【００２８】
表示部１０には、例えば検索用データ記憶部４１あるいは記憶部４６などから供給されるデータに基づき、ディスク２０に記憶されたコンテンツに関する情報などが表示される。また、表示部１０のパネル部分は、例えばタッチパネルとなっており、ユーザは表示部１０に指で触れることで、表示部１０に表示された情報の選択あるいは、表示されたポインタなどの移動を行うことができる。
【００２９】
ディスク２０は、スピドールモータ２１により回転駆動され、ディスク２０に記憶されたデータが光学ヘッド２２により読み出され、ＲＦ回路２３を介して復調回路２４に供給される。
【００３０】
復調回路２４において、ＲＦ回路２３から供給されたデータは復調され、速度制御回路２５およびＥＣＣデコーダ２６に供給される。また、復調回路２４において復調されたデータのうち、ＴＯＣ（Table of Contents）に関する情報は、システムコントローラ４０に供給されて、種々の制御のために用いられる。
【００３１】
速度制御回路２５において、復調回路２４から供給されたデータに基づいて、ディスク２０が例えば一定の線速度により回転駆動するように速度制御される。
ＥＣＣデコーダ２６において、ＣＩＲＣ（Cross Interleave Reed-Solomon Code）を用いたエラー訂正処理が行われ、訂正処理後のオーディオＰＣＭデータ、あるいは圧縮データがデータ領域セレクタ２７に供給される。エラー訂正できなかったエラーのオーディオデータについては、それを示すエラーフラグが付加されて、データ領域セレクタ２７に供給される。
【００３２】
データ領域セレクタ２７において、ＥＣＣデコーダ２６から供給されたデータがディスク２０の単密領域に記憶されたデータであるか倍密領域に記憶されたデータであるか、すなわちＰＣＭデータであるか圧縮データであるかの判別がされる。ＰＣＭデータであると判別された場合には、ＥＣＣデコーダ２６から供給されたデータは、エラー補間回路２９に供給され、圧縮データであると判別された場合には、伸長回路２８に供給される。
【００３３】
伸長回路２８において、データ領域セレクタ２７から供給された圧縮データは、伸長され、エラー補間回路２９に供給される。エラー補間回路２９において、データ領域セレクタ２７および伸長回路２８から供給されたデータに付加されているエラーフラグがチェックされ、エラー訂正されなかったエラーのオーディオデータについては、例えば、前後のデータを用いたエラー補間処理が行われ、データ出力速度制御回路３０に供給される。
【００３４】
データ出力速度制御回路３０には、バッファメモリが備えられている。データ出力速度制御回路３０において、エラー補間回路２９より供給されたデータがバッファメモリにバッファリングされ、必要なデータ出力速度、例えば１．４１１２Ｍｂｐｓに制御され出力される。
【００３５】
データ出力速度制御回路３０からのデジタルデータは、デジタル出力端子（図示せず）から外部に出力されると共に、Ｄ／Ａ変換器３１に供給され、アナログオーディオ信号に変換される。そして、このアナログオーディオ信号は、アパーチャ回路３２、ローパスフィルタ３３、ラインアップ３４を介して、アナログ出力端子（図示せず）から出力される。
【００３６】
ＥＣＣエンコーダ３５において、例えばＥＣＣデコーダ２６から供給される入力データにＣＩＲＣを用いるエラー訂正エンコード処理が行われ、記録変調回路３６に供給される。
【００３７】
記録変調回路３６において、ＥＣＣエンコーダ３５より供給されたデータがＥＦＭ（Eight-to-Fourteen Modulation）方式による記録変調が行われ、その変調されたデータが記録アンプ３７を介して、記録ヘッド３８に供給される。
【００３８】
記録ヘッド３８により、記録アンプ３７を介して供給されるデータに基づき、ディスク２０にピットが形成され、オーディオデータがディスク２０に記憶される。オーサリングシステム用の記録再生装置ではなく、コンスーマー用の記録再生装置の場合には、記録ヘッド３８は、ディスク２０上での光の反射率を変化させるタイプのものであってもよい。
【００３９】
入力部３９には、３次元ジョグ２、停止ボタン３、巻き戻しボタン４、記録ボタン５、再生ボタン６、早送りボタン７、一時停止ボタン８、ボリューム９および図示しない電源スイッチが備えられている。
【００４０】
検索用データ記憶部４１は、例えば不揮発性メモリ、磁気ハードディスクなどから構成される。検索用データ記憶部４１には、検索用データが記憶される。ここで、検索用データは、例えば検索用オーディオデータ、再生回数データ、音量データ、音質データ、時間データ、付加情報および評価値などである。検索用オーディオデータは、例えばディスク２０に記憶されたオーディオデータの一部に対応する部分データである。より具体的には、ディスク２０に記憶されたオーディオデータの先頭部分あるいはサビ部分のデータ等である。付加情報は、例えばディスク２０に記憶されるオーディオデータに対応したアーティスト名、アルバム名、曲タイトルおよびジャケットイメージなどのデータである。評価値は、例えば検索用再生頻度が最も高いオーディオデータと他のオーディオデータとの類似度を評価するためのものである。
【００４１】
コンテンツソート演算部４２では、システムコントローラ４０の制御の基に、検索用データ記憶部４１に記憶される再生回数データに基づき、再生頻度が最も高いオーディオデータが決定される。
【００４２】
ＤＲ平均値演算部４３では、システムコントローラ４０の制御の基に、所定時間毎のＤＲ平均値、すなわちオーディオデータの平均的な振幅の大きさを示すパラメータが演算される。
【００４３】
リズム平均値演算部４４では、システムコントローラ４０の制御の基に、リズム平均値、すなわちオーディオデータの所定帯域のピーク間隔の全平均が演算される。ここで、リズム平均値は、狭い意味でのピッチ、あるいは拍子の速度を表すパラメータである。また、リズム平均値が、０クロスの間隔の平均演算より求められるようにしてもよい。
【００４４】
類似度演算部４５では、システムコントローラ４０の制御の基に、再生頻度が最も高いオーディオデータのパラメータ（ＤＲ平均値およびリズム平均値）と、他のオーディオデータのパラメータとが全て比較され、再生頻度が最も高いオーディオデータと他のオーディオデータとの類似度が算出される。具体的には、ＤＲ平均値の差＋ピーク間隔の平均値の差が評価値として算出される。この評価値が小さいほど、再生頻度が最も高いオーディオデータとの類似度が高いことを示す。あるいは、（ＤＲ平均値の差＋ピーク間隔の平均値の差）の逆数が評価値として算出されるようにしてもよい。この場合、この評価値が大きいほど、再生頻度が最も高いオーディオデータとの類似度が高いことを示す。
【００４５】
記憶部４６には、例えば表示部１０に表示される検索画面に関する情報が記憶される。システムコントローラ４０において、上述した各部が制御される。
【００４６】
図３は、３Ｄジョグの概略構成を模式的に示す斜視図である。３Ｄジョグには、３次元ジョグスティック５１の回転に応じた信号を出力するロータリーエンコーダ５２および、３次元ジョグスティック５１の動きによりオン／オフされるタクトスイッチ５３，５４，５５が備えられている。図４Ａに示すように、３次元ジョグスティック５１が移動されると、タクトスイッチ５５がオンされ、図４Ｂに示すように、３次元ジョグスティック５１が移動されると、タクトスイッチ５３がオンされる。図４Ｃに示すように、３次元ジョグスティック５１が正回転されると、ロータリーエンコーダ５２から３次元ジョグスティック５１の正回転に応じた信号が出力され、図４Ｄに示すように、３次元ジョグスティック５１が逆回転されると、ロータリーエンコーダ５２から３次元ジョグスティック５１の逆回転に応じた信号が出力される。図４Ｅに示すように、３次元ジョグスティック５１が押圧されると、タクトスイッチ５４がオンされる。なお、ユーザは、ディスク２０に記憶されたデータの検索、再生などの操作を３次元ジョグ２のみで行うことも可能である。
【００４７】
図５は、オーディオデータの再生頻度に応じた検索用オーディオデータの変更処理を説明するためのフローチャートである。
【００４８】
ステップ１０１において、システムコントローラ４０は、入力部３９により供給される信号に基づき、所定のオーディオデータに対して再生が指示されたか否かを判別する。再生が指示されたと判別された場合にはステップ１０２に進み、再生が指示されなかったと判別された場合にはステップ１０７に進む。
【００４９】
ステップ１０２において、システムコントローラ４０は、検索用データ記憶部４１とディスク２０の倍密度領域とに記憶される検索用データのうち、再生指示されたオーディオデータのＩＤに対応する再生回数データをインクリメントする。
【００５０】
ステップ１０３において、システムコントローラ４０は、検索用データ記憶部４１とディスク２０の倍密度領域に記憶される検索用データのうち、再生指示されたオーディオデータのＩＤに対応する音量データを更新する。ここで、音量データは、例えば再生頻度の高い順に、大きくなるように更新する。また、音量データが、例えば再生頻度の高い順に、小さくなるように更新するようにしてもよい。
【００５１】
ステップ１０４において、システムコントローラ４０は、検索用データ記憶部４１とディスク２０の倍密度領域に記憶される検索用データのうち、再生指示されたオーディオデータのＩＤに対応する音質データを更新する。ここで、例えば検索用オーディオデータのサンプリング周波数が再生頻度の高い順に小さくなるように更新し、再生頻度が高い検索用オーディオデータほど高音質で再生されるようにする。また、例えば検索用オーディオデータのサンプリング周波数が再生頻度の高い順に大きくなるように更新し、再生頻度が高い検索用オーディオデータほど低音質で再生されるようにするようにしてもよい。
【００５２】
ステップ１０５において、システムコントローラ４０は、検索用データ記憶部４１とディスク２０の倍密度領域に記憶される検索用データのうち、再生指示されたオーディオデータのＩＤに対応する時間データを更新する。再生頻度が高い順に、再生時間が長くなるように時間データを更新する。また、再生頻度が高い順に、再生時間が短くなるように時間データを更新するようにしてもよい。これは、ユーザは再生頻度が高い曲を聴きなれているため、短い再生時間でも、どの曲が再生されたかを認識可能であるためである。
【００５３】
ステップ１０６において、システムコントローラ４０は、再生指示されたオーディオデータのＩＤに対応する検索用オーディオデータを、音質および時間データに基づき、ディスク２０から読み出すと共に、検索用データ記憶部４１およびディスク２０の倍密領域に記憶する。
【００５４】
ステップ１０７において、システムコントローラ４０は、入力部３９から供給された信号に基づき、電源オフの操作がなされたか否かを判別する。電源オフの操作がされなかったと判別された場合にはステップＳ１０１に進み、電源がオフされたと判別された場合には処理を終了する。
【００５５】
図６は、オーディオデータの検索から再生までのシステムコントローラ４０の動作を説明するためのフローチャートである。
【００５６】
ステップ１１１において、システムコントローラ４０は、入力部３９により供給された信号に基づき、どのオーディオデータがユーザにより選択されたかを判別し、ユーザにより選択されたと判別されたオーディオデータのＩＤに応じた検索用オーディオデータおよび音量データを、例えば検索用データ記憶部４１から読み出し、この検索用オーディオデータを音量データに基づいて制御し再生する。
【００５７】
ステップＳ１１２において、システムコントローラ４０は、入力部３９により供給された信号に基づき、ユーザにより選択オーディオデータの変更の指示があるか否かを判別する。選択オーディオデータの変更の指示がされたと判別された場合には、ステップＳ１１３に進み、変更の指示がさらないと判断された場合には、ステップＳ１１４に進む。
【００５８】
ステップＳ１１３において、システムコントローラ４０は、変更先のオーディオデータのＩＤに応じた検索用オーディオデータおよび音量データを、例えば検索用データ記憶部４１から読み出し、この検索用オーディオデータを音量データに基づいて制御し再生する。
【００５９】
ステップＳ１１４において、システムコントローラ４０は、入力部３９により供給された信号に基づき、ユーザからの再生指示があるか否かを判別する。再生指示がある場合にはステップＳ１１５に進み、再生指示がない場合にはステップＳ１１６に進む。
【００６０】
ステップＳ１１５において、システムコントローラ４０は、選択されたオーディオデータのＩＤに対応するオーディオデータを継続してディスク２０から読み出し、再生する。具体的には、システムコントローラ４０が、検索用オーディオデータの後に続けてシームレスにディスク２０に記録されたオーディオデータ（本体データ）を途中から再生する。ここで、検索用データ記憶部４１に記憶される検索用オーディオデータが、例えば、ディスク２０に記憶されたオーディオデータの先頭部分あるいはサビ部分に相当するオーディオデータの場合には、システムコントローラ４０は、選択されたオーディオデータのＩＤに対応するオーディオデータをディスク２０から直接読み出し、シームレスに再生する。また、ディスク２０に記憶されたオーディオデータの先頭部分あるいはサビ部分に相当するオーディオデータの場合には、選択されたオーディオデータのＩＤに対応する検索用オーディオデータを検索用データ記憶部４１から読み出し、再生すると共に、選択されたオーディオデータのＩＤに対応するオーディオデータをディスク２０から読み出し、読み出したオーディオデータを検索用データ記憶部４１に一端書き込んだ後、この書き込んだオーディオデータを検索用データ記憶部４１から読み出し、シームレスに再生するようにしてもよい。すなわち、検索用データ記憶部４１をショックプルーフ用メモリと兼用にするようにしてもよい。
【００６１】
また、システムコントローラ４０が、指示に応じて、ディスク２０に記憶されたオーディオデータの先頭から即再生開始するようにしてもかわない。ここで、検索用データ記憶部４１に記憶される検索用オーディオデータが、例えば、ディスク２０に記憶されたオーディオデータの先頭部分あるいはサビ部分に相当するオーディオデータの場合には、システムコントローラ４０は、選択されたオーディオデータのＩＤに対応するオーディオデータをディスク２０から直接読み出し、先頭から再生する。また、ディスク２０に記憶されたオーディオデータの先頭部分あるいはサビ部分に相当するオーディオデータの場合には、選択されたオーディオデータのＩＤに対応する検索用オーディオデータを検索用データ記憶部４１から読み出し、再生すると共に、選択されたオーディオデータのＩＤに対応するオーディオデータをディスク２０から読み出し、読み出したオーディオデータを検索用データ記憶部４１に一端書き込んだ後、この書き込んだオーディオデータを検索用データ記憶部４１から読み出し、先頭から再生するようにしてもよい。すなわち、検索用データ記憶部４１をショックプルーフ用メモリと兼用にするようにしてもよい。
【００６２】
ステップＳ１１６において、システムコントローラ４０は、入力部３９より供給される信号に基づき、ユーザにより電源オフの操作がなされたか否かを判別する。電源オフの操作がなされたと判別された場合には処理を終了する。一方、電源オフの操作がなされていないと判別された場合には、ステップ１１１に戻り上述した処理が繰り返される。すなわち、ステップ１１１において、選択されているオーディオデータの再生が繰り返し行われることとなる。
【００６３】
上述したように、オーディオデータ検索時に再生される検索用オーディオデータは、再生頻度に応じて音量、音質、時間が制御されるため、ユーザは所望するオーディオデータを直感的に検索できる。
【００６４】
また、オーディオデータが記憶されたディスク２０と、記録再生装置の検索用データ記憶部４１との両方に検索用オーディオデータが記憶されるため、記録再生装置の検索用データ記憶部４１に記憶された検索用オーディオデータが変更された場合にも、あるいは記録再生装置を変更し、他の記録再生装置によりディスク２０を再生した場合にも、ディスク２０に記憶された検索用データを利用することによりユーザに合った最適な検索が実現可能である。
【００６５】
上述した例では、再生頻度に応じてオーディオデータの再生音量、再生音質および再生時間を制御し、オーディオデータを再生する例について示したが、これは、この例に限らない。例えば、図２に示すように、コンテンツソート演算部４２、ＤＲ平均値演算部４３、リズム平均値演算部４４および類似度演算部４５を備え、再生頻度が最も高いオーディオデータのＤＲ平均値、リズム平均値あるいは類似度に応じて、オーディオデータの再生音量、再生音質および再生時間を制御し、オーディオデータを再生するようにすることも可能である。
【００６６】
次に、この発明の第２の実施形態による記録再生装置について説明する。第１の実施形態においては、再生音量、再生音質および再生時間に基づき検索用オーディオデータを再生し、所望のオーディオデータを検索する例について示したが、第２の実施形態においては、表示部１０に表示されるシンボルにより、所望のオーディオデータを検索する例について示す。なお、この発明の第２の実施形態による記録再生装置の外観および構成は、第１の実施形態による記録再生装置と同様であるので、ここでは説明を省略する。
【００６７】
また、この発明の第２の実施形態においては、記憶部４６には、例えば表示部１０に表示されるシンボルのフォントポイントに関する情報、シンボルの表示位置に関する情報および曲数に関する情報などが記憶されている。
【００６８】
図７は、再生頻度が最も高いオーディオデータと、他のオーディオデータとの類似度を演算する処理について説明するためのフローチャートである。
【００６９】
ステップＳ１２１において、システムコントローラ４０は、入力部３９より供給される信号に基づき、ユーザによる再生指示があるか否かを判別する。再生指示があると判別された場合には、ステップＳ１２２に進み。再生指示がないと判別された場合には、ステップＳ１２７に進む。
【００７０】
ステップＳ１２２において、システムコントローラ４０は、検索用データ記憶部４１と、ディスク２０の倍密領域とに記憶される検索用データのうち、再生指示されたオーディオデータのＩＤに対応する再生回数データをインクリメントする。
【００７１】
ステップＳ１２３において、コンテンツソート演算部４２は、システムコントローラ４０の制御の基に、検索用データ記憶部４１に記憶される再生回数データに基づき、再生頻度が最も高いオーディオデータを決定する。
【００７２】
ステップＳ１２４において、システムコントローラ４０は、類似度演算部４５を介してＤＲ平均値演算部４３を制御し、ＤＲ平均値演算部４３は、システムコントローラ４０の制御の基に、全てのオーディオデータのＤＲの平均値を演算する。ここで、算出されたオーディオデータのＤＲの平均値を、例えば検索用データ記憶部４１に記憶しておくようにしてもよい。
【００７３】
ステップＳ１２５において、システムコントローラ４０は、類似度演算部４５を介して、リズム平均値演算部４４を制御し、リズム平均値演算部４４は、システムコントローラ４０の制御の基に、全てのオーディオデータのリズム平均値を演算する。ここで、算出されたオーディオデータのリズム平均値を、例えば検索用データ記憶部４１に記憶しておくようにしてもよい。
【００７４】
ステップ１２６において、類似度演算部４５は、再生頻度が最も高いオーディオデータと他のオーディオデータとの類似度を算出し、算出された類似度をオーディオデータＩＤに対応して検索用データ記憶部４１に記憶する。
【００７５】
ステップＳ１２７において、システムコントローラ４０は、入力部３９より供給される信号に基づき、ユーザにより電源がオフされたか否かを判別する。電源がオフされなかったと判別された場合にはステップＳ１２１に戻り、電源がオフされたと判別された場合には処理を終了する。
【００７６】
上述した類似度演算処理においては、ステップＳ１２４およびＳ１２５において、ＤＲ平均値、リズム平均値が演算されるようになっているが、これらの演算結果が検索用データ記憶部４１に既に記憶されている場合には、ステップＳ１２４およびＳ１２５における演算を行わないようにしてもよい。
【００７７】
図８は、曲の類似度をシンボルにより把握可能なＲＥＣＯＭＭＥＮＤモードの表示画面の一例である。ここで、シンボルは、例えば八分音符であり、表示部１０に表示されるシンボルのそれぞれは、ディスク２０に記憶されたオーディオデータのそれぞれと対応している。シンボルの大きさは、再生頻度が最も高いオーディオデータとの類似度に応じて決定されている。
【００７８】
図９は、図８に示したＲＥＣＯＭＭＥＮＤモードの表示画面のシンボル表示処理を説明するためのフローチャートである。
【００７９】
ステップＳ１３１において、システムコントローラ４０は、入力部３９より供給される信号に基づき、ユーザによるＲＥＣＯＭＭＥＮＤモードの指示があるか否かを判別する。ＲＥＣＯＭＭＥＮＤモードの指示がある場合には、ステップＳ１３２に進み、ＲＥＣＯＭＭＥＮＤモードの指示がない場合には、ステップＳ１４２進む。
【００８０】
ステップＳ１３２において、システムコントローラ４０は、記憶部４６に記憶されるフォントポイントをＡに設定する。
【００８１】
ステップＳ１３３において、システムコントローラ４０は、記憶部４６に記憶される座標データを（Ｃ，Ｄ）に設定する。ここで、座標データ（Ｃ，Ｄ）は、例えば表示部１０の中央位置の座標データである。
【００８２】
ステップＳ１３４において、表示部１０は、システムコントローラ４０の制御の基に、記憶部４６から供給されるシンボル表示に関する情報、すなわちフォントポイントＡとシンボル座標データ（Ｃ，Ｄ）とにより、シンボルを表示する。
ステップＳ１３５において、システムコントローラ４０は、再生頻度が最も高いオーディオデータの検索用オーディオデータと先頭アドレスとを、ディスク２０より読み出し、シンボルに対応して検索用データ記憶部４１に記憶する。
【００８３】
ステップＳ１３６において、システムコントローラ４０は、ディスク２０に記憶される全曲数から１を引いた値を残曲数として記憶部４６に記憶する。
【００８４】
ステップＳ１３７において、システムコントローラ４０は、記憶部４６に記憶されるシンボル表示に関するデータ、すなわちフォントポイントＡ、座標データ（Ｃ，Ｄ）を更新する。フォントポイントＡを、例えばＡ−１に更新する。座標データ（Ｃ，Ｄ）を、例えば表示部１０の中心位置から等距離を保ちながら、所定角度回転させた位置、あるいは表示部１０の中心より所定距離はなれた位置に更新する。
【００８５】
ステップＳ１３８において、表示部１０は、システムコントローラ４０の制御の基に、記憶部４６から供給される情報、すなわちフォントポイントＡとシンボル座標データ（Ｃ，Ｄ）とにより、シンボルを表示する。
【００８６】
ステップＳ１３９において、システムコントローラ４０は、検索用データ記憶部４１に記憶された類似度に基づき、再生頻度が最も高いオーディオデータと、次に類似度が高いオーディオデータの先頭アドレスを、ディスク２０より読み出し、シンボルに対応して検索用データ記憶部４１に記憶する。
【００８７】
ステップＳ１４０において、システムコントローラ４０は、記憶部４６に記憶される残曲数を減算する。すなわち、記憶部４６に記憶される残曲数から１引き、この値を残曲数として記憶部４６に記憶する。
【００８８】
ステップＳ１４１において、システムコントローラ４０は、残曲数が０より小さいか否かを判別する。残曲数が０以上の場合には、ステップＳ１３７に戻り同様の処理が繰り返される。すなわち、類似度に応じてシンボルを表示する処理が行われる。一方、残曲数が０より小さいと判断された場合には、ステップＳ１４２に進む。
【００８９】
ステップ１４２において、システムコントローラ４０は、入力部３９より供給される信号に基づき、ユーザにより電源がオフされたか否かを判別する。電源がオフされなかったと判別された場合にはステップＳ１３１に戻り、電源がオフされたと判別された場合には処理を終了する。
【００９０】
図１０は、曲の類似度をシンボルにより把握可能な他のＲＥＣＯＭＭＥＮＤモードの表示画面の一例である。ここで、シンボルは、例えば八分音符であり、表示部１０に表示されるシンボルのそれぞれは、ディスク２０に記憶されたオーディオデータのそれぞれと対応している。シンボルの大きさは、再生頻度が最も高いオーディオデータとの類似度に応じて決定され、シンボルの位置は、再生頻度が最も高いオーディオデータの振幅およびリズムとの類似度に応じて決定される。
【００９１】
図１１は、図１０に示したＲＥＣＯＭＭＥＮＤモードの表示画面のシンボル表示処理を説明するためのフローチャートである。
【００９２】
ステップＳ１５１において、システムコントローラ４０は、入力部３９より供給される信号に基づき、ユーザによるＲＥＣＯＭＭＥＮＤモードの指示があるか否かを判別する。指示があると判別された場合にはＳ１５２に進み、指示がないと判別された場合にはステップＳ１６２進む。
【００９３】
ステップＳ１５２において、システムコントローラ４０は、シンボルのフォントポイントＡを記憶部４６に記憶する。
【００９４】
ステップＳ１５３において、システムコントローラ４０は、座標データ（Ｃ，Ｄ）を記憶部４６に記憶する。座標データ（Ｃ，Ｄ）は、表示部１０に表示される振幅軸とリズム軸とからなるグラフの座標データであり、ここでは、（振幅軸の座標の最大値，リズム軸の座標の最大値）である。また、シンボル座標データ（Ｃ，Ｄ）は、例えば最も再生頻度が高いオーディオデータの振幅値およびリズム値にしてもよい。
【００９５】
ステップＳ１５４において、表示部１０は、システムコントローラ４０の制御の基に、記憶部４６から供給される情報、すなわちフォントポイントＡおよび座標データ（Ｃ，Ｄ）により、シンボルを表示する。
【００９６】
ステップＳ１５５において、システムコントローラ４０は、再生頻度が最も高いオーディオデータの検索用データと先頭アドレスとを、ディスク２０より読み出し、シンボルに対応して検索用データ記憶部４１に記憶する。
【００９７】
ステップＳ１５６において、システムコントローラ４０は、ディスク２０に記憶される全曲数から１を引いた値を残曲数として記憶部４６に記憶する。
【００９８】
ステップＳ１５７において、システムコントローラ４０は、記憶部４６に記憶されるシンボルのフォントポイントＡを、例えばＡ−１に更新する。
【００９９】
ステップＳ１５８において、表示部１０は、システムコントローラ４０の制御の基に、記憶部４６から供給されるシンボルのフォントポイント情報、すなわちフォントポイントＡと、検索用データ記憶部から供給されるＤＲ平均値およびリズム平均値に基づくシンボル座標データ（Ｃ，Ｄ）とにより、シンボルを表示する。ここで、ＤＲ平均値およびリズム平均値は、最も再生頻度が高いオーディオデータと次に類似度が高いオーディオデータのＤＲ平均値およびリズム平均値である。なお、シンボル座標データ（Ｃ，Ｄ）は、具体的には最も再生頻度が高いオーディオデータと次に類似度が高いオーディオデータのＤＲ平均値およびリズム平均値をそれぞれ、最も再生頻度が高いオーディオデータのＤＲ平均値およびリズム平均値のそれぞれで割ることにより正規化された座標である。
【０１００】
ステップＳ１５９において、システムコントローラ４０は、次に再生頻度の高いオーディオデータの検索用データと先頭アドレスとを、ディスク２０より読み出し、シンボルに対応して検索用データ記憶部４１に記憶する。
【０１０１】
ステップＳ１６０において、システムコントローラ４０は、記憶部４６に記憶される残曲数を減算する。すなわち、記憶部４６に記憶される残曲数から１引き、この値を残曲数として記憶部４６に記憶する。
【０１０２】
ステップＳ１６１において、システムコントローラ４０は、残曲数が０より小さいか否かを判別する。残曲数が０以上の場合には、ステップＳ１６７に戻り同様の処理が繰り返される。すなわち、類似度に応じてシンボルを表示する処理が行われる。一方、残曲数が０より小さいと判断された場合には、ステップＳ１６２に進む。
【０１０３】
ステップ１６２において、システムコントローラ４０は、入力部３９より供給される信号に基づき、ユーザにより電源がオフされたか否かを判別する。電源がオフされなかったと判別された場合にはステップＳ１５１に戻り、電源がオフされたと判別された場合には処理を終了する。
【０１０４】
図１２は、図８および図１０に示したＲＥＣＯＭＭＥＮＤモードにおける所望のオーディオデータ検索から再生までのシステムコントローラ４０の処理を説明するためのフローチャートである。
【０１０５】
ステップＳ１７１において、システムコントローラ４０は、表示部１０より供給される信号に基づき、ユーザによるポインタの移動があるか否かを検出する。ポインタの移動があると検出された場合にはステップＳ１７２に進み、ポインタの移動がないと検出された場合にはステップＳ１７４に進む。
【０１０６】
ステップＳ１７２において、システムコントローラ４０は、表示部１０より供給される信号に基づき、ポインタ座標に対応するシンボルがあるか否かを判別する。シンボルがあると判別された場合にはステップＳ１７３に進み、シンボルがないと判別された場合にはステップＳ１７４に進む。
【０１０７】
ステップＳ１７３において、システムコントローラ４０は、シンボルに対応するオーディオデータの付加情報を検索用データ記憶部４１あるいはディスク２０から読み出す。
【０１０８】
ステップＳ１７４において、システムコントローラ４０は、Ｓ１７３において検索用データ記憶部４１から読み出された付加情報に基づき表示を行うと共に、シンボルに対応する検索用オーディオデータを検索用データ記憶部４１から読み出し、再生する。
【０１０９】
ステップＳ１７５において、システムコントローラ４０は、入力部３９より供給される信号に基づき、表示部１０のタッチパネルに対する押圧指示があるか否かを判別する。押圧指示がある場合には再生の決定指示があると判別されＳ１７６に進み、押圧指示がない場合には再生の決定指示がないと判別された場合にはＳ１７７に進む。
【０１１０】
ステップＳ１７６において、システムコントローラ４０は、ポインタにより指示されたシンボルに対応するオーディオデータの先頭アドレスを、例えば検索用データ記憶部４１から読み出し、読み出された先頭アドレスに基づき、光学ヘッド２２を制御し、オーディオデータをディスク２０から読み出し、再生する。
【０１１１】
ステップＳ１７７において、システムコントローラ４０は、入力部３９より供給される信号に基づき、ユーザにより電源がオフされたか否かを判別する。電源がオフされなかったと判別された場合にはステップＳ１７１に戻り、電源がオフされたと判別された場合には処理を終了する。
【０１１２】
上述したこの発明の第２の実施形態による記録再生装置では、ユーザは、ポインタによりシンボル上を移動することでシンボルに対応するオーディオデータの先頭部分あるいはサビ部分に関する音声を聴取しながら、所望のオーディオデータを検索し、さらに検索された所望のオーディオデータの再生の決定指示を行うと、ディスク２０からオーディオデータが読み出され、再生が開始されるため、ユーザは容易に所望のオーディオデータを検索できる。
【０１１３】
また、再生頻度の高いオーディオデータあるいはそれに類似するオーディオデータを象徴するシンボルが、表示部１０において広い面積を占めるように表示されるので、ユーザはこれらのオーディオデータのシンボルを選択しやすい。すなわち、ユーザは、再生頻度の高い曲、すなわち良く聴く曲を容易に再生指示できると共に、好みの曲を容易に検索できる。
【０１１４】
さらに、再生頻度が最も高い曲に類似する曲のシンボルも選択されやすく表示されるようになっているので、ユーザは好みの曲を容易に選択できる。
【０１１５】
さらにまた、ユーザがオーディオデータを再生する度にシンボルに対応するオーディオデータが変更されるので、ユーザにとって最適な記録再生装置に自動的にカスタマイズされる。
【０１１６】
次に、この発明の第２の実施形態の変形例について説明する。上述したこの発明の第２の実施形態では、ディスク２０に記憶されたオーディオデータに対応する音符をシンボルとして表示する例について示したが、この発明の第２の実施形態の変形例では、ディスク２０に記憶されたオーディオデータに対応するジャケットイメージのサムネイルをシンボルとして表示する例について示す。なお、この発明の第２の実施形態の変形例による記録再生装置の外観および構成は、第１の実施形態による記録再生装置と同様であるので、ここでは説明を省略する。また、この発明の第２の実施形態の変形例においては、検索用データ記憶部４１には、検索用データとして、第１の実施形態で示したデータに加え、ジャケットイメージのサムネイルの画像情報などが記憶され、記憶部４６には、例えば表示部１０に表示されるシンボルのフォントポイントに関する情報、シンボルの表示位置に関する情報および曲数に関する情報などが記憶されている。
【０１１７】
再生頻度が最も高いオーディオデータと、他のオーディオデータとの類似度を演算する処理は、上述した第２の実施形態と同様であるので、ここでは説明を省略する。
【０１１８】
図１３は、ジャケットイメージのサムネイルにより曲の類似度を把握可能なＲＥＣＯＭＭＥＮＤモードの表示画面の一例である。表示部１０に表示されるジャケットイメージのサムネイルのそれぞれは、ディスク２０に記憶されたオーディオデータのそれぞれと対応している。サムネイルの大きさは、サムネイルに対応するオーディオデータと再生頻度が最も高いオーディオデータとの類似度に応じて決定される。例えば、再生頻度が最も高いオーディオデータとの類似度が低くなるにつれて、サムネイルが小さく表示される。あるいは、再生頻度が最も高いオーディオデータとの類似度が低くなるにつれて、サムネイルが大きく表示される。なお、図１３では、再生頻度が最も高いオーディオデータとの類似度が低くなるにつれて、サムネイルが小さく表示される例が示されている。
【０１１９】
また、サムネイルの画質が、再生頻度に応じて、決定されるようにしてもかまわない。例えば、再生頻度が最も高いオーディオデータとの類似度が低くなるにつれて、サムネイルの画質が低質になるように表示される。あるいは、再生頻度が最も高いオーディオデータとの類似度が低くなるにつれて、サムネイルの画質が高質になるように表示される。ここで、サムネイルの画像が低質になるとは、サムネイルの画像のボケ度が増すこと、サムネイルの解像度が落ちる（モザイク画像になる）ことなどを示す。また、サムネイルの画質が高質になるとは、サムネイルの画像が鮮明になること、サムネイルの解像度が上がることなどを示す。このようにサムネイルを表示することにより、再生頻度に応じたオーディオデータ検索を直感的に行うことができる。
【０１２０】
さらに、サムネイルの大きさと画質とが、再生頻度に応じて、決定されるようにしてもかまわない。例えば、再生頻度が最も高いオーディオデータとの類似度が低くなるにつれて、サムネイル小さく表示されるとともに、サムネイルの画質が低質になるように表示される。あるいは、再生頻度が最も高いオーディオデータとの類似度が低くなるにつれて、サムネイルが大きく表示されるとともに、サムネイルの画質が高質になるように表示される。このようにサムネイルを表示することにより、再生頻度に応じたオーディオデータ検索を直感的に行うことができる。
【０１２１】
図１３に示したＲＥＣＯＭＭＥＮＤモードの表示画面のシンボル表示処理および、ＲＥＣＯＭＭＥＮＤモードにおける所望のオーディオデータの検索から再生までの処理は、上述した第２の実施形態の場合と略同様であるので、ここでは説明を省略する。
【０１２２】
次に、この発明の第３の実施形態による記録再生装置について説明する。第２の実施形態においては、ディスク２０に記憶されるオーディオデータに対応するシンボルが表示部１０に表示される例について示したが、第３の実施形態においては、表示部１０にディスク２０に記憶されるオーディオデータに対応するシンボルがデータ領域毎に表示部１０に表示される例について示す。なお、この発明の第３の実施形態による記録再生装置の外観および構成は、第１の実施形態による記録再生装置と同様であるので、ここでは説明を省略する。
【０１２３】
また、この第３の実施形態においては、記憶部４６には、後に示す各検索モードにおけるＧＵＩ（Graphical User Interface）の検索画面表示のための情報および検索プログラムなどが記憶され、検索用データ記憶部４１には、例えば表示部１０に表示される検索画面の検索モードおよびデータ領域表示に関する情報などが記憶されている。なお、各検索モードの検索画面間の画面切り換えなどは、システムコントローラ４０の制御のもとに記憶部４６に記憶される検索プログラムが実行されることにより行われる。
【０１２４】
図１４および図１５は、各検索モードにおいて表示される検索画面の一例を示す。検索画面３０１は、モード１（ＴＩＴＬＥ  ＭＯＤＥ）の検索画面の一例を示す。ＴＩＴＬＥ  ＭＯＤＥは、ディスク２０に記憶されたオーディオデータに関する情報を、アルバムおよび曲単位でディレクトリ上に表示するモードである。ここで、アルバムを表すシンボルと楽曲を表すシンボルとが異なるため、ユーザはシンボルによりアルバムと楽曲とを識別できる。また、表示されるシンボルにより、ディスクに保存されているオーディオデータの圧縮方式および変調方式などの情報も識別できるようにしてもよい。例えば、ＭＰ３、ＡＴＲＡＣ、ＡＡＣ、ＰＣＭなどの情報を識別できるようにシンボルを表示してもよい。
【０１２５】
検索画面３０２は、モード２（ＡＲＴＩＳＴ  ＭＯＤＥ）の検索画面の一例を示す。ＡＲＴＩＳＴ  ＭＯＤＥは、ディスク２０に記憶されたオーディオデータをアーティスト単位で表示するモードである。
【０１２６】
検索画面３０３は、モード３（ＲＥＣＯＲＤＩＮＧ  ＴＩＭＥ  ＭＯＤＥ）の検索画面の一例を示す。ＲＥＣＯＲＤＩＮＧ  ＴＩＭＥ  ＭＯＤＥは、ディスク２０に記憶されたオーディオデータのタイトルを、ユーザが最近記憶したものから順にソートし、表示するモードである。
【０１２７】
検索画面３０４は、モード４（ＦＡＶＯＵＲＩＴ  ＭＯＤＥ）の検索画面の一例を示す。ＦＡＶＯＵＲＩＴ  ＭＯＤＥは、ディスク２０に記憶されたオーディオデータのタイトルを、再生頻度に応じた幾つかのディレクトリに分類し、表示するモードである。例えば、検索画面３０４に示すように、ディスク２０に記憶されたオーディオデータのタイトルを、再生頻度順に、ＨＩＧＨ、ＭＩＤＤＬＥ、ＬＯＷからなる３つのカテゴリに分類し、表示する。
【０１２８】
検索画面３０５は、モード５（ＲＨＹＴＨＭ  ＭＯＤＥ）の検索画面の一例を示す。ＲＨＹＴＨＭ  ＭＯＤＥは、ディスク２０に記憶されたオーディオデータの所定帯域のピーク間隔の平均値でオーディオデータを分類してオーディオデータのタイトルを表示するモードである。例えば検索画面３０５に示すように、ディスク２０に記憶されたオーディオデータのタイトルを、リズム平均値が高い順に、ＨＩＧＨ、ＭＩＤＤＬＥ、ＬＯＷからなる３つのカテゴリに分類し、表示する。
【０１２９】
検索画面３０６は、モード６（ＤＲ  ＭＯＤＥ）の検索画面の一例を示す。ＤＲ  ＭＯＤＥは、ディスク２０に記憶されたオーディオデータの所定間隔のＤＲ平均値により、オーディオデータのタイトルを分類してタイトルを表示するモードである。例えば、検索画面３０６に示すように、ディスクに記憶されたオーディオデータのタイトルを、ＤＲ平均値が高い順に、ＨＩＧＨ、ＭＩＤＤＬＥ、ＬＯＷからなる３つのカテゴリに分類し、表示する。
【０１３０】
検索画面３０７は、モード７（ＲＥＣＯＭＭＥＮＤ  ＭＯＤＥ１）の検索画面の一例を示す。ＲＥＣＯＭＭＥＮＤ  ＭＯＤＥ１は、ディスク２０に記憶されたオーディオデータを、再生頻度が最も高いオーディオデータに類似するオーディオデータ順に、オーディオデータのタイトルを表示するモードである。
【０１３１】
検索画面３０８は、モード８（ＲＥＣＯＭＭＥＮＤ  ＭＯＤＥ２）の検索画面の一例を示す。ＲＥＣＯＭＭＥＮＤ  ＭＯＤＥ２は、ディスク２０に記憶されたオーディオデータを、再生頻度が最も高いオーディオデータとの類似度に応じてシンボルを表示するモードである。ここで、検索画面３０８では、類似度の高さに応じて、シンボルが大きく表示される例が示されている。シンボルは、例えば類似度に応じて３つの大きさのシンボルに分けて表示される。
【０１３２】
図１６は、ディスク２０に記憶されたオーディオデータをデータ領域毎に表示した画面表示の一例を示す。表示画面３１０と表示画面３１１とを切り換えて各々全画面表示する例である。ここで、表示画面３１０は、単密度領域に記憶されたオーディオデータのタイトルを表示する画面であり、表示画面３１１は、倍密度領域に記憶されたオーディオデータのタイトルを表示する画面である。なお、表示画面３１０と表示画面３１１との画面切り換え操作については、後に説明する。
【０１３３】
表示画面３１２は、表示画面３１０と表示画面３１１とを切り換えずに２画面表示する例である。表示画面３１２により、ユーザは、表示画面３１０と表示画面３１１とを同時に閲覧できる。なお、図１７に示した表示画面３１０あるいは表示画面３１１と表示画面３１２との画面切り換え操作については、後に説明する。
【０１３４】
図１７は、データ領域毎に表示された画面表示を３次元ジョグにより切り換える操作を説明するための図である。図４Ａに示すように、３次元ジョグスティック５１が操作され、タクトスイッチ５５がオンされると、データ領域画面が切り替わるようになっている。データ領域画面は、３次元ジョグスティック５１が操作され、タクトスイッチ５５がオンされる度に、例えば図１７に示すように、表示画面３１０、表示画面３１１、表示画面３１２の順で切り替わるようになっている。
【０１３５】
図１８は、検索モード表示画面を３次元ジョグにより切り換える操作を説明するための図である。図４Ｂに示すように、３次元ジョグスティック５１が操作され、タクトスイッチ５３がオンされると、検索モード表示画面が切り替わるようになっている。検索モード表示画面は、３次元ジョグスティック５１が操作され、タクトスイッチ５３がオンされる度に、例えば図１８に示すようにＴＩＴＬＥ  ＭＯＤＥ３０１、ＡＲＴＩＳＴ  ＭＯＤＥ３０２、ＲＥＣＯＲＤＩＮＧ  ＴＩＭＥ  ＭＯＤＥ３０３、ＦＡＶＯＵＲＩＴ  ＭＯＤＥ３０４、ＲＨＹＴＨＭ  ＭＯＤＥ３０５、ＤＲ  ＭＯＤＥ３０６、ＲＥＣＯＭＭＥＮＤ  ＭＯＤＥ１（３０７）、ＲＥＣＯＭＭＥＮＤ  ＭＯＤＥ２（３０８）の順で切り替わるようになっている。
【０１３６】
図１９は、３次元ジョグによりモード切替を行う場合の操作および処理を説明するためのフローチャートである。
【０１３７】
ステップＳ１８１において、システムコントローラ４０は、入力部３９より供給される信号を小電力モードで監視し、ユーザにより電源スイッチがオンされたか否かを判別する。電源がオンされたと判別された場合には、ステップＳ１８２に進む。
【０１３８】
ステップＳ１８２において、システムコントローラ４０は、検索用データ記憶部４１に記憶されている検索モードおよびデータ領域表示に関するデータに基づき、ディスク２０に記憶されるオーディオデータの情報を表示部１０に表示する。
【０１３９】
ステップＳ１８３において、システムコントローラ４０は、入力部３９より供給される信号に基づき、図４Ａに示すように、３次元ジョグスティック５１が操作され、タクトスイッチ５５がオンされているか否かを判別する。タクトスイッチ５５がオンされていると判別された場合にはステップＳ１８４に進み、オンされていないと判別された場合にはステップＳ１８５に進む。
【０１４０】
ステップＳ１８４において、システムコントローラ４０は、記憶部４６に設定されているデータ領域表示に関するデータを基に、データ領域表示を次に設定されているデータ領域表示に変更する。
【０１４１】
ステップＳ１８５において、システムコントローラ４０は、入力部３９より供給される信号に基づき、図４Ｂに示すように、３次元ジョグスティック５１が操作され、タクトスイッチ５３がオンされているか否かを判別する。タクトスイッチ５３がオンされていると判別された場合にはステップＳ１８６に進み、オンされていないと判別された場合にはステップＳ１８７に進む。
【０１４２】
ステップＳ１８６において、システムコントローラ４０は、記憶部４６に設定されている検索モードに関するデータを基に、検索モードを次に設定されている検索モードに変更する。
【０１４３】
ステップＳ１８７において、システムコントローラ４０は、入力部３９より供給される信号に基づき、図４Ｃに示すように、３次元ジョグスティック５１が正回転されているか否かを判別する。正回転されていると判別された場合にはステップＳ１８８に進み、正回転されていないと判別された場合にはステップＳ１８９に進む。
【０１４４】
ステップＳ１８８において、システムコントローラ４０は、表示部１０に表示されるオーディオデータ選択カーソルを、例えば次のタイトルなどに移動するように制御する。
【０１４５】
ステップＳ１８９において、システムコントローラ４０は、入力部３９より供給される信号に基づき、図４Ｄに示すように、３次元ジョグスティック５１が逆回転されているか否かを判別する。逆回転されていると判別された場合にはステップＳ１９０に進み、逆回転されていないと判別された場合にはステップＳ１９１に進む。
【０１４６】
ステップＳ１９０において、システムコントローラ４０は、表示部１０に表示されるカーソルを前に移動するようにする。
【０１４７】
ステップＳ１９１において、システムコントローラ４０は、入力部３９より供給される信号に基づき、図４Ｅに示すように、ユーザにより３次元ジョグスティック５１が押圧されているか否かを判別する。押圧されていると判別された場合にはステップＳ１９２に進み、押圧されていないと判別された場合にはステップＳ１９３に進む。
【０１４８】
ステップＳ１９２において、システムコントローラ４０は、選択カーソルにより現時点で選択されているオーディオデータを再生する。
【０１４９】
ステップＳ１９３において、システムコントローラ４０は、入力部３９より供給される信号に基づき、ユーザにより電源スイッチがオフされたか否かを判別する。オフされていると判別された場合にはステップＳ１９４に進み、オフされていないと判別された場合にはステップＳ１８２に戻る。
【０１５０】
ステップＳ１９４において、システムコントローラ４０は、現在の検索モードおよびデータ領域表示関する情報を検索用データ記憶部４１に記憶する。
【０１５１】
ステップＳ１９５において、電源のオフを実行し、処理を終了する。
【０１５２】
上述したように、この発明の実施形態による記録再生装置は、ディスク２０のデータ領域毎に画面切換えが可能なので、ユーザが表示を望まないディスク２０のデータ領域、例えばＣＭデータが記憶されたデータ領域を表示せずに済むため、ユーザは所望のタイトルを検索しやすくなる。また、複数の検索モードから表示モードを選択できるので、ユーザの検索意図に応じた検索が可能となる。さらに、データ領域毎に検索モード画面を設定可能なので、記憶されるデータの質に応じて検索モードを設定できるため、ユーザは所望のタイトルを検索しやすくなる。
【０１５３】
以上、この発明の実施形態について具体的に説明したが、この発明は、上述の実施形態に限定されるものではなく、この発明の技術的思想に基づく各種の変形が可能である。
【０１５４】
上述した実施形態においては、所望のオーディオデータを検索し、再生する記憶再生装置にこの発明を適用する例について示したが、所望のビデオ（画像）データを検索し、再生する記憶再生装置にこの発明を適用することも可能である。この場合、ビデオデータ内のオーディオデータについては、音質、音量、時間が制御され、ビデオデータ内の画像データについては、画像サイズ、解像度、時間が制御される。
【０１５５】
また、上述した実施形態においては、単密領域と倍密領域とを有するディスク２０から所望のオーディオデータが検索され、再生される例について説明したが、３以上のデータ領域からなるディスクから所望のオーディオデータが検索され、再生されるようにすることも可能である。
【０１５６】
さらに、上述した実施形態においては、検索用データがディスク２０と記録再生装置との双方に記憶される構成について示したが、検索用データがディスク２０と記録再生装置の検索用データ記憶部４１との少なくとも一方に記憶される構成にしてもよい。
【０１５７】
さらにまた、上述した第１の実施形態においては、音量データ、音質データおよび時間データに基づき、検索用オーディオデータが再生される例について示したが、音量データ、音質データおよび時間データの少なくとも１以上のデータに基づき、検索用オーディオデータが再生されるようにしてもよい。また、上述した音量データ、音質データおよび時間データ以外のデータに基づき、検索用オーディオデータが再生されるようにしてもよい。
【０１５８】
また、上述した第２の実施形態および第２の実施形態の変形例においては、表示部１０がタッチパネルとなっている場合の操作および処理について示したが、これは、この例に限らない。例えば、記録再生装置に接続されたマウスなどにより、表示部１０に表示されたポインタを移動し、再生の指示を行うような構成にしてもよい。あるいは、入力部３９の操作によりポインタを移動し、再生の指示を行うような構成にしてもよい。
【０１５９】
さらに、上述した第２の実施形態および第２の実施形態の変形例においては、最も再生頻度が高いオーディオデータとの類似度により、シンボルの大きさが一定の割合で変化する例について示したが、最も再生頻度が高いオーディオデータとの類似度に応じて、シンボルの大きさが変化するようにしてもよい。
【０１６０】
さらにまた、上述した第２の実施形態および第２の実施形態の変形例においては、再生頻度が最高のオーディオデータとの差異のみにより評価値を演算したが、各オーディオデータを他の全てのオーディオデータの再生頻度と類似度を重み付けして足し合わせることにより各々のオーディオデータの評価値を演算するようにしてもよい。
【０１６１】
また、上述した第２の実施形態および第２の実施形態の変形例においては、シンボルの大きさが類似度に応じて決定される例について示したが、シンボルの大きさが再生頻度に応じて決定されるようにすることも可能である。例えば、再生頻度が低くなるにつれて、シンボルが小さく表示される、あるいは大きく表示されるようにすることも可能である。
【０１６２】
さらに、上述した第２の実施形態および第２の実施形態の変形例においては、類似度に応じてシンボルのフォントポイントを変更し表示する例について示したが、類似度に応じてシンボルの色あるいは形などを変形するようにしてもよい。
【０１６３】
さらにまた、上述した第２の実施形態および第２の実施形態の変形例においては、最も再生頻度が高いオーディオデータと他のオーディオデータとの類似度が算出され、この類似度に応じてシンボルが表示される例について示したが、ユーザにより選択された任意のオーディオデータと他のオーディオデータとの類似度が算出され、この類似度に応じてシンボルが表示されるようにすることも可能である。
【０１６４】
また、上述した第２の実施形態および第２の実施形態の変形例では、再生頻度の最も高いオーディオデータとの類似度が低くなるにつれて、シンボルが小さく表示される例について示したが、再生頻度が最も高いオーディオデータとの類似度が低くなるにつれて、シンボルが大きく表示されるようにすることも可能である。
【０１６５】
さらに、上述した第２の実施形態の変形例においては、再生頻度が最も高いオーディオデータとの類似度に応じて、サムネイルの大きさが変更される例について示したが、再生頻度が最も高いオーディオデータとの類似度に応じて、サムネイルの画質が変更されるようにしてもよい。例えば、再生頻度が最も高いオーディオデータとの類似度が低くなるにつれて、サムネイルの画質が劣化し、サムネイルがぼやけて表示される、あるいは再生頻度が最も高いオーディオデータとの類似度が低くなるにつれて、サムネイルの画質が高画質になり、サムネイルが鮮明に表示されるようにすることも可能である。また、再生頻度が最も高いオーディオデータとの類似度ではなく、オーディオデータの再生頻度に応じて、サムネイルの画質が変更されるようにすることも可能である。例えば、オーディオデータの再生頻度が低くなるにつれて、サムネイルの画質が劣化し、サムネイルがぼやけて表示される、あるいはオーディオデータの再生頻度が低くなるにつれて、サムネイルの画質が高画質になり、サムネイルが鮮明に表示されるようにすることも可能である。
【０１６６】
さらにまた、上述した第１の実施形態、第２の実施形態、第２の実施形態の変形例および第３の実施形態の記録再生装置は、同様の構成により実現可能であるため、一台の記録再生装置が各実施形態で示した検索方法を複数組み合わせた検索方法により所望のデータを検索できるようにすることも可能である。例えば、第１の実施形態で示した検索方法と第２の実施形態で示した検索方法を組み合わせることが可能である。すなわち、ディスク２０に記憶されたオーディオデータに対応するシンボルがポインタにより指示されると、指示されたシンボルに対応するオーディオデータが、再生頻度に応じた音量、音質および時間で再生されるようにすることが可能である。
【０１６７】
また、検索用データ記録部４１に記憶される検索用オーディオデータに対して、次のような加工を施してもかまわない。すなわち、検索用オーディオデータの先頭部分がフェードイン加工され、検索用オーディオデータの最終部分がフェードアウト加工されるように、検索用オーディオデータを加工するようにしてもかまわない。
【０１６８】
また、オーディオデータ本体とは異なる符号化方式により、検索用オーディオデータを加工するようにしてもかまわない。本質的には、検索用オーディオデータはあまり音質を問わないので、オーディオデータ本体の符号化方式よりもより圧縮率の高い符号化方式で、検索用オーディオデータを圧縮するようにしてもかまわない。例えば、ＭＰ３（MPEG1 Audio Layer III）、ＡＤＰＣＭ（Adaptive Differential Pulse Code Modulation）などの高圧縮率の符号化方法により、検索用オーディオデータを加工するよにしてもかまわない。これにより、検索用データ記録部４１に記録するデータ量を、削減することができる。すなわち、検索用データ記録部４１を縮小化することができる。また、検索用データ記録部４１のコストを安価に抑えることができる。
【０１６９】
また、検索用オーディオデータは復号時間が短くなければならないので、オーディオデータ本体の符号化方式よりも復号時間が短い符号化方式で、検索用オーディオデータを符号化するようにしてもかまわない。例えば、ＭＰ３（MPEG1 Audio Layer III）、ＡＤＰＣＭ（Adaptive Differential Pulse Code Modulation）などの高圧縮率の符号化方法により、検索用オーディオデータを加工するよにしてもかまわない。これにより、検索用オーディオデータの復号に要する復号時間を、短縮化することができる。
【０１７０】
また、検索用オーディオデータが別音源で作成されるようにしてもかまわない。この場合、例えば、オーディオデータ本体は５．１ｃｈで録音されたオーディオデータで記録されているのに対し、検索用オーディオデータは２ｃｈでステレオ録音されたオーディオデータで記録されているようにする。
【図面の簡単な説明】
【０１７１】
【図１】この発明の第１の実施形態による記録再生装置の外観を示す略線図である。
【図２】この発明の第１の実施形態による記録再生装置の構成の一例を示すブロック図である。
【図３】この発明の第１の実施形態による３Ｄジョグの概略構成を模式的に示す斜視図である。
【図４】この発明の第１の実施形態による３Ｄジョグの操作方法を説明するための略線図である。
【図５】この発明の第１の実施形態によるオーディオデータの再生頻度に応じた検索用オーディオデータの変更処理を説明するためのフローチャートである。
【図６】この発明の第１の実施形態によるオーディオデータの検索から再生までのシステムコントローラの動作および処理を説明するためのフローチャートである。
【図７】この発明の第２の実施形態による再生頻度が最も高いオーディオデータと他のオーディオデータとの類似度を演算する演算処理について説明するためのフローチャートである。
【図８】この発明の第２の実施形態によるＲＥＣＯＭＭＥＮＤモードの表示画面の一例を示す略線図である。
【図９】この発明の第２の実施形態によるＲＥＣＯＭＭＥＮＤモードの表示画面のシンボル表示処理を説明するためのフローチャートである。
【図１０】この発明の第２の実施形態によるＲＥＣＯＭＭＥＮＤモードの表示画面の一例を示す略線図である。
【図１１】この発明の第２の実施形態によるＲＥＣＯＭＭＥＮＤモードの表示画面のシンボル表示処理を説明するためのフローチャートである。
【図１２】この発明の第２の実施形態によるＲＥＣＯＭＭＥＮＤモードにおける所望のオーディオデータの検索から再生までの処理を説明するためのフローチャートである。
【図１３】この発明の第２の実施形態の変形例によるＲＥＣＯＭＭＥＮＤモードの表示画面の一例を示す略線図である。
【図１４】この発明の第３の実施形態による各検索モードの検索画面の表示例を示す略線図である。
【図１５】この発明の第３の実施形態による各検索モードの検索画面の表示例を示す略線図である。
【図１６】この発明の第３の実施形態によるオーディオデータをデータ領域毎に表示する画面表示の一例を示す略線図である。
【図１７】この発明の第３の実施形態による３次元ジョグによるデータ領域表示の切替操作を説明するための略線図である。
【図１８】この発明の第３の実施形態による３次元ジョグによる検索モード表示画面の切替操作を説明するための略線図である。
【図１９】この発明の第３の実施形態による３次元ジョグによる所望のオーディオデータ検索を説明するためのフローチャートである。
【符号の説明】
【０１７２】
１  前面パネル
２  ３次元ジョグ
３  停止ボタン
４  巻き戻しボタン
５  記録ボタン
６  再生ボタン
７  早送りボタン
８  一時停止ボタン
９  ボリューム
１０  表示部
Ｓ１０１  再生指示有り？
Ｓ１０２  検索用データの再生回数データを再生回数＋１に変更
Ｓ１０３  音量データ更新
Ｓ１０４  音質データ更新
Ｓ１０５  時間データ更新
Ｓ１０６  検索用データ更新
Ｓ１０７  電源ＯＦＦ？
Ｓ１１１  検索用オーディオデータを再生
Ｓ１１２  選択コンテンツ変更指示有り？
Ｓ１１３  選択コンテンツ変更
Ｓ１１４  再生指示有り？
Ｓ１１５  選択コンテンツの再生開始
Ｓ１１６  電源ＯＦＦ？
Ｓ１２１  再生指示有り？
Ｓ１２２  検索用データの再生回数データを再生回数＋１に更新
Ｓ１２３  再生頻度最多数のコンテンツ決定
Ｓ１２４  所定時間毎のＤＲの平均値演算
Ｓ１２５  所定帯域のピークの間隔の平均演算
Ｓ１２６  最多コンテンツとの距離を全ての曲において演算し記憶
Ｓ１２７  電源ＯＦＦ？
Ｓ１３１  ＲＥＣＯＭＭＥＮＤ指示有り？
Ｓ１３２  フォントポイントをＡに設定
Ｓ１３３  座標データを（Ｃ，Ｄ）に設定
Ｓ１３４  Ａ、（Ｃ，Ｄ）を元にシンボル表示
Ｓ１３５  再生頻度が最も高いオーディオデータの検索用データ、ディスクの先頭アドレスを記憶
Ｓ１３６  曲数から−１→残曲数
Ｓ１３７  Ａ＝Ａ−１、次の（Ｃ，Ｄ）に変更
Ｓ１３８  Ａ、（Ｃ，Ｄ）を元にシンボル表示
Ｓ１３９  次のコンテンツの検索用データ、ディスクの先頭アドレスを記憶
Ｓ１４０  残曲数＝残曲数−１
Ｓ１４１  残曲数＜０？
Ｓ１４２  電源ＯＦＦ？
Ｓ１５１  ＲＥＣＯＭＭＥＮＤ指示有り？
Ｓ１５２  フォントポイントをＡに設定
Ｓ１５３  座標データを（Ｃ，Ｄ）に設定
Ｓ１５４  Ａ、（Ｃ，Ｄ）を元にシンボル表示
Ｓ１５５  再生頻度が最も高いオーディオデータの検索用データ、ディスクの先頭アドレスを記憶
Ｓ１５６  曲数から−１→残曲数
Ｓ１５７  Ａ＝Ａ−１
Ｓ１５８  Ａ、（振幅，リズム）を元にシンボル表示
Ｓ１５９  次のコンテンツの検索用データ、ディスクの先頭アドレスを記憶、
Ｓ１６０  残曲数＝残曲数−１
Ｓ１６１  残曲数＜０？
Ｓ１６２  電源ＯＦＦ？
Ｓ１７１  ポインタの移動有り？
Ｓ１７２  ポインタ座標に対応するシンボル有り？
Ｓ１７３  シンボルに対応する付加情報を検索用データ記憶部４１から読み出し
Ｓ１７４  付加情報表示＋検索用オーディオデータ再生
Ｓ１７５  決定指示有り？
Ｓ１７６  シンボルに対応するディスク先頭アドレスにアクセスし再生
Ｓ１７７  電源ＯＦＦ？
Ｓ１８１  電源ＯＮ？
Ｓ１８２  記憶される検索用モードでコンテンツ表示
Ｓ１８３  ジョグ左スイッチＯＮ？
Ｓ１８４  次のデータ表示領域表示に切換え
Ｓ１８５  ジョグ右スイッチＯＮ？
Ｓ１８６  次の検索モード表示に切換え
Ｓ１８７  ジョグ正回転有り？
Ｓ１８８  選択カーソル次に移動
Ｓ１８９  ジョグ逆回転有り？
Ｓ１９０  選択カーソル前に移動
Ｓ１９１  ジョグ押圧スイッチＯＮ？
Ｓ１９２  選択されるコンテンツ再生開始
Ｓ１９３  電源ＯＦＦ指示？
Ｓ１９４  現在の検索モードをメモリに記憶
Ｓ１９５  電源ＯＦＦ
【図１】
0004428412.tif 000002
【図２】
0004428412.tif 000003
【図３】
0004428412.tif 000004
【図４】
0004428412.tif 000005
【図５】
0004428412.tif 000006
【図６】
0004428412.tif 000007
【図７】
0004428412.tif 000008
【図８】
0004428412.tif 000009
【図９】
0004428412.tif 000010
【図１０】
0004428412.tif 000011
【図１１】
0004428412.tif 000012
【図１２】
0004428412.tif 000013
【図１３】
0004428412.tif 000014
【図１４】
0004428412.tif 000015
【図１５】
0004428412.tif 000016
【図１６】
0004428412.tif 000017
【図１７】
0004428412.tif 000018
【図１８】
0004428412.tif 000019
【図１９】
0004428412.tif 000020